(57)【要約】【課題】チャンネルアップダウンボタンを用いてザッピング選局するとき、コストの上昇を抑え、かつ選局にかかる時間を短縮することが可能な受信機を得ることを目的とする。【解決手段】本発明に係るデジタル放送受信機２０は、デジタル放送波を受信する受信機であって、放送電波から選択したチャンネルの周波数に同調してチャンネルの信号を抜き出し、第１の中間周波数信号に変換する第１ＲＦチューナ１、第１の中間周波数信号をデジタル復調し第１の復調信号を生成する第１復調器２、放送電波から選択したチャンネルの周波数に同調してチャンネルの信号を抜き出し、第２の中間周波数信号に変換する第２ＲＦチューナ３、第２の中間周波数信号をデジタル復調し第２の復調信号を生成する第２復調器４、第１の復調信号と第２の復調信号を選択して切り換えるＴＳ選択スイッチ５を備えて構成される。【選択図】  図１
2010050785.tif 000002
【特許請求の範囲】
【請求項１】
デジタル放送波を受信する受信機であって、
放送電波から選択したチャンネルの周波数に同調してチャンネルの信号を抜き出し、第１の中間周波数信号に変換する第１のＲＦチューナと、
前記第１の中間周波数信号をデジタル復調し第１の復調信号を生成する第１の復調器と、
放送電波から選択したチャンネルの周波数に同調してチャンネルの信号を抜き出し、第２の中間周波数信号に変換する第２のＲＦチューナと、
前記第２の中間周波数信号をデジタル復調し第２の復調信号を生成する第２の復調器と、
前記第１の復調信号と前記第２の復調信号を選択して切り換える選択スイッチと、を備える、
受信機。
【請求項２】
チャンネルを切り替えるためのアップダウンボタンの操作信号から切り替え先のチャンネルを先読みし、前記第１または前記第２のＲＦチューナの一方に現在視聴している番組、他方に前記先読みした切り替え先のチャンネルを指定し、前記第１および第２の復調器に復調動作指令を出し、前記先読み通りに前記アップダウンボタンが押されることにより前記選択スイッチを切り換える指令を出す先読み選局制御部をさらに備える、
請求項１に記載の受信機。
【請求項３】
前記先読み選局制御部は、
前記第１および前記第２のＲＦチューナと前記第１および前記第２の復調器と前記選択スイッチに制御信号を通信するシリアル通信部と、
先読み制御アルゴリズムを実現するソフトウエアおよびデータを蓄積するメモリと、
前記ソフトウエアを実行するＣＰＵと、を備える、
請求項２に記載の受信機。
【請求項４】
前記先読み選局制御部は、
前記第１および前記第２のＲＦチューナと前記第１および前記第２の復調器と前記選択スイッチに制御信号を通信するパラレル制御部と、
先読み制御アルゴリズムを実現するソフトウエアおよびデータを蓄積するメモリと、
前記ソフトウエアを実行するＣＰＵと、を備える、
請求項２に記載の受信機。
【発明の詳細な説明】
【技術分野】
【０００１】
本発明は、デジタル放送波を受信する受信機に関する。
【背景技術】
【０００２】
従来、デジタル放送受信機においてデジタル放送を受信して視聴する場合、例えば利用者がリモコン等のアップダウンボタンを用いてザッピング選局（チャンネルを次々に切り換えて、視聴したい番組を探す選局方法）によりチャンネルを切り換えるときなど、選局動作が実行されるため映像と音声が出力されるまでに時間が必要である。
【０００３】
これを解決するために、様々な選局手段が考案されている。例えば特許文献１には、すばやく選局したいチャンネルを予め不揮発メモリに記憶させ高速選局させる方法が示されている。また、復調動作を行うときマルチパスがない電波の場合、処理を簡略化して高速化する手法（特許文献２）や、複数のチューナを用いて視聴していないチューナで静止画映像を予め取得しておいて、これを表示することで、画像付の選局を高速に行うことができる方式（特許文献３）、複数チューナを用いてＰＡＴ、ＰＭＴの情報を視聴していないチューナで予め常時取得しておきデータベース化することで、チャンネル切り換えを高速化する手法（特許文献４）などが考案されている。また、複数のチューナ受信部と複数のＴＳ分離を用いた方式も考案されている（特許文献５）。
【０００４】
【特許文献１】特開２００５−１９２００９号公報
【特許文献２】特開２００８−３５３７７号公報
【特許文献３】特開２００２−３２０１５３号公報
【特許文献４】特開２０００−１３６９６号公報
【特許文献５】特開２００６−３４５１６９号公報
【発明の開示】
【発明が解決しようとする課題】
【０００５】
しかしながら、上述したように従来のデジタル放送受信機にあっては選局動作の高速化のため色々な工夫がなされているが、画期的に時間を短縮することができない、あるいは装置としてのコストがかかるといった問題があった。
【０００６】
本発明は上述した問題を解決するためになされたものであり、特にチャンネルアップダウンボタンを用いてザッピング選局するとき、コストの上昇を抑え、かつ選局にかかる時間を短縮することが可能な受信機を得ることを目的とする。
【課題を解決するための手段】
【０００７】
本発明に係る受信機は、デジタル放送波を受信する受信機であって、放送電波から選択したチャンネルの周波数に同調してチャンネルの信号を抜き出し、第１の中間周波数信号に変換する第１のＲＦチューナ、第１の中間周波数信号をデジタル復調し第１の復調信号を生成する第１の復調器、放送電波から選択したチャンネルの周波数に同調してチャンネルの信号を抜き出し、第２の中間周波数信号に変換する第２のＲＦチューナ、第２の中間周波数信号をデジタル復調し第２の復調信号を生成する第２の復調器、第１の復調信号と第２の復調信号を選択して切り換える選択スイッチを備えて構成される。
【発明の効果】
【０００８】
本発明によれば、２つのチャンネルを同時に受信して復調し、選択スイッチにより切り替えることができる。ユーザがリモコン等のアップダウンボタンを用いてザッピング選局をする場合、チャンネルは昇順あるいは降順に切り替わるため切り替え先のチャンネルを先読みすることができる。従って現時視聴している番組と先読みした切り替え先のチャンネルを同時に受信して復調し、選択スイッチにより切り替えることにより、ボタンを押下してから映像が確認できるまでの時間を画期的に短縮して、サッピング選局を快適に動作可能にできるといった効果があり、いらいらさせないザッピング動作を提供でき、より早く視聴したい番組を探すことが可能となる。また、ＲＦチューナと復調器は２つずつでよく、選択スイッチの出力部以降に接続される多重分離部、映像デコーダ、および音声デコーダはそれぞれ１つずつしか必要としないため、低いコストで実現できるといった利点がある。
【発明を実施するための最良の形態】
【０００９】
以下、この発明をその実施の形態を示す図面に基づいて具体的に説明する。
【００１０】
＜実施の形態１＞
（構成）
図１は、本発明の実施の形態１におけるデジタル放送波を受信するデジタル放送受信機（受信機）２０の機能構成を示す図である。本発明のデジタル放送受信機２０は、放送電波から視聴したい番組の放送局のチャンネル、すなわち選択したチャンネルの周波数に同調してチャンネルの信号を抜き出し、第１の中間周波数信号に変換する第１ＲＦチューナ（第１のＲＦチューナ）１と、放送電波から選択したチャンネルの周波数に同調してチャンネルの信号を抜き出し、第２の中間周波数信号に変換する第２ＲＦチューナ（第２のＲＦチューナ）３を備える。
【００１１】
また、第１ＲＦチューナ１に接続され、地上デジタル放送の場合はＯＦＤＭ（Orthogonal Frequency Division Multiplexing：直交周波数分割多重）方式で変調された中間周波数信号をデジタル復調し第１の復調信号を生成する第１復調器（第１の復調器）２と、第２ＲＦチューナ３に接続され、同じくＯＦＤＭ変調信号をデジタル復調し第２の復調信号を生成する第２復調器（第２の復調器）４を備える。
【００１２】
また、第１、第２復調器２，４で復調された、ＭＰＥＧ−ＴＳ（MPEG Transport Stream）データである第１の復調信号と第２の復調信号を選択して切り換えるＴＳ選択スイッチ（選択スイッチ）５と、ＴＳ選択スイッチ５に接続され選択されたＴＳデータから多重された映像と音声のデータを分離する多重分離部９と、多重分離部９に接続され、分離されたＭＰＥＧ圧縮データから映像をデコードして画像として出力する映像デコーダ１０と、音声をデコードして音声として出力する音声デコーダ１１を備える。
【００１３】
また、チャンネルを操作するためにチャンネルアップダウンボタン８ａを有したリモコン８と、この操作信号を例えば赤外線などで送信したとき、これを受信してどのボタンが押されたかを解釈するリモコンコード受信処理部７を備える。
【００１４】
また、チャンネルアップかダウンのボタンのどちらが押されたかを判定し、一度アップボタンが押されると、次もアップボタンが押されることを想定して、次に選局されるチャンネルを先読みして、予め選局動作をさせるための先読み選局制御部６を備える。先読み選局制御部６は、チャンネルを切り替えるためのアップダウンボタンの操作信号から切り替え先のチャンネルを先読みし、第１または第２ＲＦチューナ１，３の一方に現在視聴している番組、他方に先読みした切り替え先のチャンネルを指定し、第１および第２復調器２，４に復調動作指令を出し、先読み通りにチャンネルアップダウンボタン８ａが押されることによりＴＳ選択スイッチ５を切り換える指令を出す。先読み選局制御部６は、リモコンコード受信処理部７、第１および第２ＲＦチューナ１，３、第１および第２復調器２，３、ＴＳ選択スイッチ５と接続される。
【００１５】
このようにデジタル放送受信機２０は、選局動作をする場合に第１ＲＦチューナと第２ＲＦチューナにチャンネル選局指令、第１復調器と第２復調器に復調開始指示を出す先読み選局制御部６と、同じく先読み選局制御部６に制御され例えば現在第１復調器２の信号を後段の処理部に送信して、映像・音声をデコードしていたとき、前もって次のチャンネルを先読みし第２復調器で復調しているＴＳ信号に瞬時に切り換えるための、ＴＳ選択スイッチ５を備える。また、切り替えられたＴＳ信号を後段で映像と音声のデータに分離するための多重分離部９と、分離された映像データをデコードする映像デコーダ１０と、分離された音声データをデコードする音声デコーダ１１を備える。
【００１６】
（動作）
次に、図１に示すデジタル放送受信機２０の動作について説明する。デジタル放送受信機２０を備えるテレビの電源が入れられると、例えば以前電源を消す前に視聴していたチャンネルの放送の画像が出力される。この場合、例えば最初は第１ＲＦチューナ１と第１復調器２およびそれを選択したＴＳ選択スイッチ５、後段の多重分離部９、映像デコーダ１０、音声デコーダ１１により、映像と音声をテレビ画面に表示しているとする。ここから、チャンネルを切り換えてザッピング動作をするために、視聴者等がリモコンのチャンネルアップダウンボタン８ａで、例えばアップボタンを押す。ここで、予め、放送が受信できるチャンネルは設定されており、チャンネル１、２、４、６、８、１０といった放送局が設定されているものとする。
【００１７】
アップボタンを押すと、チャンネル１の次はチャンネル２を、その次はチャンネル４を、以下同様、チャンネル６、８、１０、２、４、・・・というように選局はループ状に繰り返される。ここで、チャンネル１の次はチャンネル２というのが分かっているため、ユーザはアップボタンを押した場合は次もアップボタンを押すであろうという予測を先読み選局制御部６により行い、チャンネル２を第２ＲＦチューナで同調させ、この出力の中間周波を第２復調器４で復調し、すなわち先読みにより選局動作を完了させておき、ＴＳ選択スイッチ５の前段まで信号を出力させておく。ユーザが次にアップボタンを押すと、瞬時にＴＳ選択スイッチ５を動作させ、第１復調器２から第２復調器４へ切り換える。
【００１８】
これにより、予め準備されていた第２復調器４の出力信号を後段の多重分離部９で映像と音声のデータに分離し、分離された映像データを映像デコーダ１０でデコードする。また同時に、分離された音声データを音声デコーダ１１でデコードする。
【００１９】
チャンネルダウンボタンが押された場合は、次もダウンボタンを押すであろうという予測から、チャンネル１の次はチャンネル１０を、その次はチャンネル８を、以下同様チャンネル６、４、２、１、１０というように選局はループ状に繰り返されるとし、同様の処理を行う。
【００２０】
図２は、本発明の実施の形態１におけるデジタル放送受信機２０の第１復調器２から第２復調器４に切り換える際の、時間的な処理動作を説明するためのものである。横軸を時間としている。図中、期間２０１は第１ＲＦチューナ１が指令を受けて選択したチャンネルに同調し、中間周波の信号が出力されるまでの期間を表している。同じく、第１復調器が指令を受けて復調動作を開始し復調されたＴＳデータが出力されるまでの時間を、期間２０２で表している。
【００２１】
さらに、ＴＳ選択スイッチ５を経由して、多重分離部９で信号を分離して、映像デコーダ１０と音声デコーダ１１で映像と音声をデコードして出力するまでの時間を期間２０３で表す。その後テレビ画面にはデコードされた映像が、期間２０４の期間出力されているものとする。
【００２２】
第１ＲＦチューナと第１復調器２への指令が完了すれば、これらの処理を待たずに、先読み選局制御部６は第２ＲＦチューナ３に次の選局チャンネルの指示を出し、第２復調器４に復調開始指令を出す。同じく、第２ＲＦチューナ３が指令を受けて選択したチャンネルに同調して、中間周波の信号が出力されるまでの期間２０５が必要であり、さらに第２復調器が指令を受けて復調動作を開始し復調されたＴＳデータが出力されるまでの期間２０６が必要となる。
【００２３】
ユーザがザッピング選局を高速にする場合においても、映像を目で観て内容を確認するまで、数１００ミリ秒の時間は必要となる。この間には殆どの場合、次に選局されるチャンネルを選択して同調させ、これを復調する時間は十分にある。よって、次のアップまたはダウンボタンを押したときはタイミング２０８のようになり、期間２０７については第２復調器からすでにＴＳ信号が流れており、ボタンを押した瞬間にＴＳ選択スイッチ５を切り替えると、チューナ選択の期間２０５と復調の期間２０６をほぼ０秒で切り換えることができる。よって、これを多重分離部９で信号を分離し、映像デコーダ１０と音声デコーダ１１でデコードする期間２０９のみの遅れで、映像表示が可能となる。
【００２４】
図３はチャンネル１、チャンネル２、チャンネル３、チャンネル４と順番にアップダウンボタンを押して選局をするときの、動作を説明するためのものである。横軸を時間としている。チャンネル１についてＲＦ同調してデジタル復調する時間を期間３０１とし、チャンネル１をデコードする時間を期間３０２とする。チャンネル２についてＲＦ同調してデジタル復調する時間を期間３０３とし、デコードする時間を期間３０４とする。以下同様に、チャンネル３について同調、復調する時間を期間３０５、デコードする時間を期間３０６、チャンネル４について同調、復調する時間を期間３０７、デコードする時間を期間３０８とする。アップダウンボタンを高速に押した場合、チャンネル１をデコードした期間３０２の終了点から少し遅れた点でチャンネル２のデコードが開始し期間３０４となり、この終了点から少し遅れた点からチャンネル３のデコードが開始し期間３０６となり、同様に少し遅れた点からチャンネル４のデコードが開始し期間３０８となる。
【００２５】
（効果）
図４は実際のチューナ選局と復調およびデコードに最低限必要な時間を表したもので、チューナ選局には期間４０１、復調動作には期間４０２が必要となり、例えば合計９００ミリ秒必要となる。また映像・音声をデコードする動作には期間４０３が必要となり、例えば９００ミリ秒必要となる。よって、従来の方法では選局ボタンを押してから１．８秒の遅れで映像が出力することとなる。しかし、本発明の方法では映像が出るまでに９００ミリ秒の遅れですむことになる。
【００２６】
図５は、従来の方式に対して短縮できる時間の比較を説明するものであり、図５の上図は本発明の２つのチューナと復調器を持つ構成で、チャンネル１について、ＲＦ同調と復調する時間が期間５０１、デコードする時間が期間５０２、チャンネル２について、ＲＦ同調と復調する時間が期間５０３、デコードする時間が期間５０４である場合のチャンネル選局時間を示すものである。これは、図３に示した期間３０１〜３０４と同様の図である。
【００２７】
図８は、従来の１つのＲＦチューナと１つの復調器を持つ構成のデジタル放送受信機２３を示すものである。デジタル放送受信機２３は図に示すように、第１ＲＦチューナ１、第１復調器２、多重分離部９、映像デコーダ１０、音声デコーダ１１、選局制御部１７、リモコン受信処理部７、リモコン８からなる。リモコン８の選局ボタンが押されると、リモコン受信処理部７でリモコンコードに変換され、選局制御部１７により、第１ＲＦチューナ１、第１復調器２に指令が出され、多重分離部９を経由して映像デコーダ１０、音声デコーダ１１で映像と音声が出力される。
【００２８】
図５の下図は、従来の１つのチューナと復調器を持つデジタル放送受信機２３の構成で、チャンネル１について、ＲＦ同調と復調する時間が期間５０５、デコードする時間が期間５０６、チャンネル２について、ＲＦ同調と復調する時間が期間５０７、デコードする時間が期間５０８の場合のチャンネル選局時間を示すものである。図５の上図に示したように、本発明の構成においては、チャンネル１のデコードの期間５０２とチャンネル２のＲＦ同調、復調の期間５０３は並列に処理することから、従来の直列処理では期間５０７、期間５０８の１８００ミリ秒（１．８秒）出画に必要だった時間を、９００ミリ秒までに短縮することができる。
【００２９】
＜実施の形態２＞
（構成）
図６は本実施の形態におけるデジタル放送受信機２１の構成を示す図である。図において先読み選局制御部６は、先読み制御アルゴリズム（アップダウンボタン等による規則的なチャンネル変化に従い、次に選択されるチャンネルを先読みするアルゴリズム）を実現するソフトウエアを実行するＣＰＵ１３、先読み制御アルゴリズムを実現するデータを蓄積するメモリ１４、第１および第２ＲＦチューナ１，３と第１および第２復調器２，４とＴＳ選択スイッチ５に制御信号を通信するシリアル通信部１２、ＣＰＵ１３で動作する先読み制御アルゴリズムを実現するソフトウエアからなる先読み選局手段１５から構成される。先読み選局手段１５はデジタル放送受信機２１内のメモリに保存されており、例えば図６に示すメモリ１４に保存されていてもよい。ＣＰＵ１３はリモコンコード受信処理部７と接続され、シリアル通信部１２は、第１、第２ＲＦチューナ１，３、第１、第２復調器２，３、ＴＳ選択スイッチ５と接続される。その他の構成は、実施の形態１において図１に示したデジタル放送受信機２０と同様であるので、ここでの詳細な説明は省略する。
【００３０】
図７は本実施の形態における別の態様である、デジタル放送受信機２２の構成を示す図である。図において先読み選局制御部６は、先読み制御アルゴリズムを実現するソフトウエアを実行するＣＰＵ１３、先読み制御アルゴリズムを実現するデータを蓄積するメモリ１４、第１および第２ＲＦチューナ１，３と第１および第２復調器２，４とＴＳ選択スイッチ５に制御信号を通信するパラレル制御部１６、ＣＰＵ１３で動作する先読み制御アルゴリズムを実現するソフトウエアからなる先読み選局手段１５から構成される。先読み選局手段１５はデジタル放送受信機２２内のメモリに保存されており、例えば図６に示すメモリ１４に保存されていてもよい。ＣＰＵ１３はリモコンコード受信処理７と接続され、シリアル通信１２は、第１、第２ＲＦチューナ１，３、第１、第２復調器２，３、ＴＳ選択スイッチ５と接続される。その他の構成は、実施の形態１において図１に示したデジタル放送受信機２０と同様であるので、ここでの詳細な説明は省略する。
【００３１】
（動作）
次に、図６および図７に示すデジタル放送受信機２１，２２の動作を示す。
【００３２】
図６，７に示す先読み選局制御部６は、実施の形態１に示したように先読み選局を行う。すなわち、例えば最初は第１ＲＦチューナ１と第１復調器およびそれを選択したＴＳ選択スイッチ５、後段の多重分離部９、映像デコーダ１０、音声デコーダ１１により、映像と音声をテレビ画面に表示しているとする。ここから、チャンネルを切り換えてザッピング動作をするために、視聴者等がリモコンのチャンネルアップダウンボタン８ａで、例えばアップボタンを押す。
【００３３】
ここで予め、放送が受信できるチャンネルは設定されており、チャンネル１、２、４、６、８、１０といった放送局が設定されているものとする。チャンネル１の次はチャンネル２というのが分かっているため、ユーザはアップボタンを押した場合は次も必ずアップボタンを押すであろうという予測を先読み選局制御部６により、チャンネル２を第２ＲＦチューナ３で同調させこの出力の中間周波を第２復調器４で復調し、すなわち先読みして選局動作を完了させておき、ＴＳ選択スイッチ５の前段まで信号を出力させておく。ユーザが次にアップボタンを押すと、瞬時にＴＳ選択スイッチ５を動作させ、第１復調器２から第２復調器４へ切り換える。
【００３４】
図６に示すデジタル放送受信機２１の先読み選局制御部６では、上述の選局制御順序についてソフトウエアすなわち先読み選局制御手段１５が読み出され、ＣＰＵ１３によって各部が制御されることにより、実行される。ＣＰＵ１３は、第１ＲＦチューナ１、第２ＲＦチューナ３、および第１復調器２、第２復調器４に対して、シリアル通信部１２を介して、チャンネル選局、復調開始の指令を出す。この指令はリモコンコード受信処理７からのリモコンコードの値により、動作をソフトウエアで決定して実施されるものである。多重分離部９より後段の動作は実施の形態１と同様であるため、ここでの詳細な説明は省略する。
【００３５】
図７に示すデジタル放送受信機２２の先読み選局制御部６についても、上述の選局制御順序についてソフトウエアすなわち先読み選局制御手段１５が読み出され、ＣＰＵ１３によって各部が制御されることにより、実行される。ＣＰＵ１３は、第１ＲＦチューナ１、第２ＲＦチューナ３、および第１復調器２、第２復調器４に対して、パラレル制御部１６を介して、複数ビットの接続線のＯＮ，ＯＦＦによりチャンネル選局、復調開始の指令を出す。この指令はリモコンコード受信処理７からのリモコンコードの値により、動作をソフトウエアで決定して実施されるものである。多重分離部９より後段の動作は実施の形態１と同様であるため、ここでの詳細な説明は省略する。このように、第１ＲＦチューナ１、第２ＲＦチューナ３、第１復調器２、第２復調器４、およびＴＳ選択スイッチ５の制御は、パラレル制御により行われてもよい。
【００３６】
（効果）
本発明によれば、実施の形態１と同様にユーザがリモコン等のアップダウンボタンを用いてザッピング選局をする場合、ボタンを押下してから、映像が確認できるまでの時間を画期的に短縮して、サッピング選局を快適に動作可能に出来るといった効果がある。先読み選局制御部６の第１ＲＦチューナ１、第２ＲＦチューナ３、第１復調器２、第２復調器４、ＴＳ選択スイッチ５への通信方法は上述したように、シリアル通信とパラレル通信どちらでもよい。通常、シリアル通信は通信に要する時間が長くなるが、通信に要する通信ラインの本数を少なくする事ができる。一方、パラレル通信は、通信ラインが多くなってしまうが、通信に要する時間が短くなる。
【産業上の利用可能性】
【００３７】
本発明にかかるデジタルテレビ受信機は、デジタル放送の特性上、チャンネルの切り替え時間をアナログ放送受信機に比較して同程度まで高速化することにおいて有用である。また、チャンネルアップダウンボタンで行う、ザッピング視聴に対するザッピング選局において、特に有効である。
【図面の簡単な説明】
【００３８】
【図１】本発明の実施の形態１に係るデジタル放送受信機の構成を示す図である。
【図２】本発明の実施の形態１に係るデジタル放送受信機の動作タイミングを示す図である。
【図３】本発明の実施の形態１に係るデジタル放送受信機の動作タイミングを示す図である。
【図４】本発明の実施の形態１に係るデジタル放送受信機の動作タイミングを示す図である。
【図５】本発明の実施の形態１および従来のデジタル放送受信機の動作タイミングを示す図である。
【図６】本発明の実施の形態２に係るデジタル放送受信機の構成を示す図である。
【図７】本発明の実施の形態２に係るデジタル放送受信機の構成を示す図である。
【図８】従来のデジタル放送受信機の構成を示す図である。
【符号の説明】
【００３９】
１  第１ＲＦチューナ、２  第２ＲＦチューナ、３  第１復調器、４  第２復調器、５ＴＳ選択スイッチ、６  先読み選局制御部、７  リモコンコード受信処理部、８  リモコン、８ａ  チャンネルアップダウンボタン、９  多重分離部、１０  映像デコーダ、１１  音声デコーダ、１２  シリアル通信部、１３  ＣＰＵ、１４  メモリ、１５  先読み選局制御手段、１６  パラレル制御部、１７  選局制御部、２０〜２３  デジタル放送受信機、２０１〜２１０，３０１〜３０８，４０１〜４０３，５０１〜５０８  期間。
【図１】
2010050785.tif 000003
【図２】
2010050785.tif 000004
【図３】
2010050785.tif 000005
【図４】
2010050785.tif 000006
【図５】
2010050785.tif 000007
【図６】
2010050785.tif 000008
【図７】
2010050785.tif 000009
【図８】
2010050785.tif 000010